【事件の表示】
　特許第２７８７９１６号「投写型カラー表示装置」の特許に対する特許異議の申立てについて、次のとおり決定する。
【結論】
　訂正を認める。
　特許第２７８７９１６号の特許を維持する。
【理由】
１．手続きの経緯
　特許第２７８７９１６号の請求項１に係る発明は、昭和６２年７月２日（優先権主張昭和６１年８月７日）に出願した特願昭６２−１６５６１１号の一部を特許法第４４条第１項の規定により、平成９年３月７日に新たな特許出願として出願された。その後、平成１０年６月５日にその発明について特許の設定登録がなされたが、その後、その特許について異議申立人　石田保より特許異議の申立がなされ、取消理由通知がなされ、その指定期間内である平成１１年８月３０日に訂正請求がなされたものである。
２．訂正の適否についての判断
ア．訂正の概要及び、その適否の判断
　特許権者が求めている訂正の内容は以下のとおりである。
ａ．請求項１の「前記第１及び第２の透過型液晶パネルの前記駆動回路は、前記複数の信号線の配列順の一端側から前記データ信号を割り当てて供給し、前記第３の透過型液晶パネルの前記駆動回路は、前記複数の信号線の配列順の他端側から前記データ信号を割り当てて供給することを特徴とする投写型カラー表示装置。」の記載を「前記第１及び第２の透過型液晶パネルの前記駆動回路は、前記複数の信号線の配列順の一端側から，順番に前記複数の信号線に前記データ信号を供給し、前記第３の透過型液晶パネルの前記駆動回路は、前記複数の信号線の配列順の他端側から、順番に前記複数の信号線に前記データ信号を供給し、該投写型カラー表示装置は、さらに、前記第１、第２および第３の透過型液晶パネルのそれぞれに接続された基板を有し、該基板のそれぞれは、第１面および第２面を有し、前記駆動回路のそれぞれは、該基板のそれぞれに設けられており、該第１の透過型液晶パネルおよび第２の透過型液晶パネルのそれぞれは、該基板の第１面が上になるように該基板のそれぞれと接続されており、該第３の透過型液晶パネルは、該基板の第２面が上になるように該基板と接続されていることを特徴とする投写型カラー表示装置。」と訂正する。
ｂ．明細書の【０００６】の「前記複数の信号線の配列順の一端側から前記データ信号を割り当てて供給し、前記第３の透過型液晶パネルの前記駆動回路は、前記複数の信号線の配列順の他端側から前記データ信号を割り当てて供給することを特徴とする。」の記載を「前記複数の信号線の配列順の一端側から、順番に前記複数の信号線に前記データ信号を供給し、前記第３の透過型液晶パネルの前記駆動回路は、前記複数の信号線の配列順の他端側から、順番に前記複数の信号線に前記データ信号を供給し、該投写型カラー表示装置は、さらに、前記第１、第２および第３の透過型液晶パネルのそれぞれに接続された基板を有し、該基板のそれぞれは、第１面および第２面を有し、前記駆動回路のそれぞれは、該基板のそれぞれに設けられており、該第１の透過型液晶パネルおよび第２の透過型液晶パネルのそれぞれは、該基板の第１面が上になるように該基板のそれぞれと接続されており、該第３の透過型液晶パネルは、該基板の第２面が上になるように該基板と接続されていることを特徴とする投写型カラー表示装置。」と訂正する。
　上記ａに関する記載として、「図５は外付ドライバー回路を用いた液晶パネルの平面図であり、列ドライバ−ＩＣ（４０）を実装したポリイミド製の列側基板（４１）を液晶パネルの上下配して、ソース線（６１）を駆動し、行ドライバーＩＣ（４２）を実装した行側基板（４３）を液晶パネルの左右に配してゲート線（６０）を駆動する。
　赤色表示液晶パネル（１４）およぴ青色表示液晶パネル（１６）の、左右の表示方向は矢印（４４）で示す方向となり、液晶パネルの上下に配した列側基板（４１）を裏返してソース線（６１）に接続すれば矢印（４５）で示す方向の表示となり緑色表示液晶パネル（１５）を得ることができる。」【００１４】の記載がある。
　したがって、上記ａの訂正は、願書に添付した明細書に記載された範囲内で、液晶パネルに対して駆動信号回路から供給されるデータ信号の割当てが、（矢印に記載されたとおりの）順番であって、その順番を実現するための具体的な構成が、詳細な説明に記載された実施例に記載された内容となるよう、具体的に限定したものといえるから、特許請求の範囲の減縮に該当するものであって、新規事項の追加に該当せず、また、実質上特許請求の範囲を拡張し、または変更するものではない。
　上記ｂの訂正は、詳細な説明に記載された特許請求の範囲に対応する記載を、特許請求の範囲の訂正に合わせて訂正するものであるから、不明瞭な記載の釈明である。
イ．独立特許要件の判断
　以上のとおりであるから、訂正明細書の請求項１に係る発明（以下本件発明という）は、その特許請求の範囲の請求項１に記載された下記のとおりのものである。
　記
３つの色光の各色光をデータ信号に基づき各々変調する３つの透過型液晶パネルと、
前記各透過型液晶パネルにより変調された各色光を合成する色合成手段と、
前記色合成手段により合成された合成光を投写する投写光学手段とを有する投写型カラー表示装置において、
前記色合成手段は、４個の直角プリズムを貼り合わせ、その貼り合わせた内面に互いに異なる波長選択反射層を十字状に形成したプリズムであって、該プリズムの４つの外側面のうち３つの外側面には前記３つの透過型液晶パネルをそれぞれ隣接して配置してなり、
前記３つの透過型液晶パネルは、変調された後に前記プリズムの波長選択反射層によって反射されて前記投写光学手段に導かれる色光を変調する第１及び第２の透過型液晶パネルと、変調された後に前記プリズムの波長選択反射層を全て透過して前記投写光学手段に導かれる色光を変調する第３の透過型液晶パネルとを有し、
前記各透過型液晶パネルは、一対の基板間に液晶が封入され、該一対の基板間には、マトリクス状に配置される画素電極と、該画素電極に接続された薄膜トランジスタと、該薄膜トランジスタを介して前記画素電極にデータ信号を供給する複数の信号線と、前記薄膜トランジスタの光入射側に配置され当該薄膜トランジスタを遮光する遮光層とが形成され、
かつ前記複数の信号線には前記データ信号を供給する駆動回路が接続されてなり、
前記第１及び第２の透過型液晶パネルの前記駆動回路は、前記複数の信号線の配列順の一端側から，順番に前記複数の信号線に前記データ信号を供給し、
前記第３の透過型液晶パネルの前記駆動回路は、前記複数の信号線の配列順の他端側から、順番に前記複数の信号線に前記データ信号を供給し、該投写型カラー表示装置は、さらに、前記第１、第２および第３の透過型液晶パネルのそれぞれに接続された基板を有し、
該基板のそれぞれは、第１面および第２面を有し、前記駆動回路のそれぞれは、該基板のそれぞれに設けられており、
該第１の透過型液晶パネルおよび第２の透過型液晶パネルのそれぞれは、該基板の第１面が上になるように該基板のそれぞれと接続されており、該第３の透過型液晶パネルは、該基板の第２面が上になるように該基板と接続されている
ことを特徴とする投写型カラー表示装置。
　訂正前の本件発明に対して、当審が、平成１１年６月１０日付けで通知した取消理由通知で引用した刊行物１乃至３には下記のとおりの記載がある。
刊行物１：テレビ学技報ＶＯＬ．１０，ＮＯ．１４テレビジョン学会技術報告、画像表示、社団法人テレビジョン学会（１９８６（昭和６１）年８月５日）２３−２８頁ＩＰＤ１０９−５　ＴＦＴ−ＬＣＤによるフルカラービデオプロジェクター
　「今回報告するビデオプロジェクターは、動画表示が可能である液晶プロジェクタである。」（２３頁右欄７−９行）
　「基本的な構成を第１図に示す。主な構成要素は、白色光源、色分解用ダイクロイックミラー、３原色に対応した透過型液晶ライトバルブ、合成用のダイクロイックプリズム、投射レンズである。
　光源から出射した光は、十字状に組合わされた赤反射、青反射ダイクロイックミラーによって、赤、緑、青の三原色に分解される、次にこれらの色光は、液晶ライトバルブに入射し、三原色に対応した画像変調を受ける、赤と青光は鏡で光路を折り曲げられ、直進した緑光と共にダイクロイックプリズムによって合成が行われる。」（２３頁右欄１１行−２４頁左欄８行）
　「そこで我々は、１．２７”対角寸法の超小型、ＴＦＴ−ＬＣライトバルブを開発した。これは従来から当社で開発を行ってきたポリシリコン薄膜トランジスタを、各画素駆動用だけでなく、行及び列の駆動回路にも採用したものである。」（２４頁左欄３１−３６行）
　「第４図に示すように投射光入射側の共通電極基板状に、金属のライトシールド層を設置した。このマスクパターンはＴＦＴと画素の隙間に対応した井桁形状をしている。マスクにより次の２つの効果を生んでいる。１つは、ＴＦＴの光によるリークを減少させるものである。」（２５頁左欄２−７行）
　「ダイクロイックプリズムは３原色の画像光の合成を行うものである。４つの直角プリズムを貼り合わせ、その貼り合わせ面に赤反射と青反射作用を行う誘電体多層膜が蒸着されている。・・第６図はダイクロイックプリズムにＲ、Ｇ、Ｂに対応した３枚のライトバルブが配置された様子を示してある。」（２５頁右欄１６−２４行）
刊行物２：テレビジョン学会誌１９８３年ＶＯＬ．３７、ＮＯ．２（昭和５８年２月２２日、社団法人テレビジョン学会発行）１１２−１１７頁　腕時計テレビ受像器
　「上基板としては透明電極を全面に付けたガラス、下基板としてはマトリックス状の画素部とＸ、Ｙ駆動回路を作り込んだ単結晶シリコン基板を用いている。両基板間にグラスファイバーを混合したエポキシ系のスペーサー剤で８μｍの間隙を持たせ、この空間にゲストホスト液晶を封入した構造となっている。」（１１４頁右欄１２行−１１５頁左欄４行）
　「画素部には横１５２本のソースラインと縦２１０本のゲートラインがマトリックス状に形式され、各ラインの交点には画素トランジスタＴＲｉｊ、コンデンサＣｉｊ、液晶駆動電極Ｌｉｊがある。画素部の上下、左右には欠陥救済のために各々２系統のＸ、Ｙ駆動回路が形成されている。Ｘ駆動回路は１５２段のＸシフトレジスターおよび、このシフトレジスターの各段の出力ＸＧｉをゲート信号とし映像信号のソースラインヘの書込みを制御する書込みトランジスターから成っている。
・・
　ＬＶＤパネルの駆動は点順次方式を採用していることが大きな特徴である。図５はタイミングチャートである。各ゲートラインの信号Ｙ１〜Ｙ２１０は、図５のように映像信号の１水平走査期間（以下１Ｈと呼ぶ）に同期して順次ＯＮされる。この間にクロックＣＬｘに同期して図６のように点順次に画素データが書込まれる。」（１１５頁左欄８行−右欄５行）
刊行物３：特開昭５４−１０７２２１号公報
　「本発明は、液晶マトリクス表示装置に係り、特に融通性を持たせたマトリクス表示装置の駆動回路に関する」（公報１頁左下欄１３−１５行）
　「一方、直・並列変換回路４には、双方向性のシフト機能を有するフリップ・フロップ７ａ〜７ｅを多段接続した・・第６図でＳＲ、ＳＬは、右シフト、左シフトの時のデータ入力端子であり、Ｓ入力により右シフト、左シフトの切換えを行う。また、シフトクロックＣＰ１と出力の関係を第７図に示す。第７図で、シフト切換え信号ＳＬＥが”１”レベルでは、右シフトを行う。・・さらに信号ＳＬＥが”０”レベルでは、左シフトとなる。」（公報２頁右上欄１７行−左下欄１０行）
（対比・判断）
　本件発明と、上記刊行物１乃至３に記載の発明とを対比すると、上記いずれの刊行物に記載の発明にも、本件発明を特定する事項である「基板のそれぞれは、第１面および第２面を有し、前記駆動回路のそれぞれは、該基板のそれぞれに設けられており、該第１の透過型液晶パネルおよび第２の透過型液晶パネルのそれぞれは、該基板の第１面が上になるように該基板のそれぞれと接続されており、該第３の透過型液晶パネルは、該基板の第２面が上になるように該基板と接続されていることを特徴とする投写型カラー表示装置。」が記載されておらず、当該事項は、それぞれの液晶パネルに駆動信号を供給する時、一部のパネルに反転した順で該駆動信号を供給するようにするための構成が本質的に異なるものであり、上記刊行物１乃至３に記載の発明から当業者が容易に発明できたものとはいえない。
ウ．むすび
　以上のとおりであるから、上記訂正は、特許法第１２０条の４第２項および同条第３項で準用する第１２６条第２−４項の規定に適合するので、当該訂正を認める。
３．特許異議の申し立てについて
ア．申立の概要
　特許異議申立人は特許異議申立時に、証拠として甲第１乃至３号証（当審が上記取消理由通知書で引用した刊行物１乃至３とその内容は同じである）を提出し、訂正前の請求項１に係る発明は、甲第１乃至３号証に基づき当業者が容易に発明できたものであるから特許法第２９条第２項の規定に該当し、上記請求項１に係る発明の特許は、特許法第１１３条第１項第２号の規定により取り消されるべきである旨主張している。
イ．判断
　特許異議申立人が提出した甲第１乃至３号証には、本件発明を特定する事項である「基板のそれぞれは、第１面および第２面を有し、前記駆動回路のそれぞれは、該基板のそれぞれに設けられており、該第１の透過型液晶パネルおよび第２の透過型液晶パネルのそれぞれは、該基板の第１面が上になるように該基板のそれぞれと接続されており、該第３の透過型液晶パネルは、該基板の第２面が上になるように該基板と接続されていることを特徴とする投写型カラー表示装置。」が記載されておらず、当該事項は、それぞれの液晶パネルに駆動信号を供給する時、一部のパネルに反転した順で該駆動信号を供給するようにするための構成が本質的に異なるものであり、上記刊行物１乃至３に記載の発明から当業者が容易に発明できたものとはいえない。
ウ．むすび
　以上のとおりであるから、特許異議申立の理由および、証拠によっては、本件請求項１に係る発明の特許を取り消すことはできない。
　また、他に本件請求項１に係る発明の特許を取り消すべき理由を発見しない。
　よって結論のとおり決定する。
【異議決定日】
平成１１年１１月１６日（１９９９．１１．１６）
【訂正の要旨】
訂正の要旨
ａ．請求項１の「前記第１及び第２の透過型液晶パネルの前記駆動回路は、前記複数の信号線の配列順の一端側から前記データ信号を割り当てて供給し、前記第３の透過型液晶パネルの前記駆動回路は、前記複数の信号線の配列順の他端側から前記データ信号を割り当てて供給することを特徴とする投写型カラー表示装置。」の記載を、特許請求の範囲の減縮を目的として「前記第１及び第２の透過型液晶パネルの前記駆動回路は、前記複数の信号線の配列順の一端側から，順番に前記複数の信号線に前記データ信号を供給し、前記第３の透過型液晶パネルの前記駆動回路は、前記複数の信号線の配列順の他端側から、順番に前記複数の信号線に前記データ信号を供給し、該投写型カラー液晶表示装置は、さらに、前記第１、第２および第３の透過型液晶パネルのそれぞれに接続された基板を有し、該基板のそれぞれは、第１面および第２面を有し、前記駆動回路のそれぞれは、該基板のそれぞれに設けられており、該第１の透過型液晶パネルおよび、第２の透過型液晶パネルのそれぞれは、該基板の第１面が上になるように該基板のそれぞれと接続されており、該第３の透過型液晶パネルは、該基板の第２面が上になるように該基板と接続されていることを特徴とする投写型カラー表示装置。」と訂正する。
ｂ．明細書の【０００６】の「前記複数の信号線の配列順の一端側から前記データ信号を割り当てて供給し、前記第３の透過型液晶パネルの前記駆動回路は、前記複数の信号線の配列順の他端側から前記データ信号を割り当てて供給することを特徴とする。」の記載を、特許請求の範囲の訂正に合わせて「前記複数の信号線の配列順の一端側から、順番に前記複数の信号線に前記データ信号を供給し、前記第３の透過型液晶パネルの前記駆動回路は、前記複数の信号線の配列順の他端側から、順番に前記複数の信号線に前記データ信号を供給し、該投写型カラー液晶表示装置は、さらに、前記第１、第２および第３の透過型液晶パネルのそれぞれに接続された基板を有し、該基板のそれぞれは、第１面および第２面を有し、前記駆動回路のそれぞれは、該基板のそれぞれに設けられており、該第１の透過型液晶パネルおよび、第２の透過型液晶パネルのそれぞれは、該基板の第１面が上になるように該基板のそれぞれと接続されており、該第３の透過型液晶パネルは、該基板の第２面が上になるように該基板と接続されていることを特徴とする投写型カラー表示装置。」と訂正する。
（５４）【発明の名称】
投写型カラー表示装置
（５７）【特許請求の範囲】
　【請求項１】　３つの色光の各色光をデータ信号に基づき各々変調する３つの透過型液晶パネルと、
　前記各透過型液晶パネルにより変調された各色光を合成する色合成手段と、
　前記色合成手段により合成された合成光を投写する投写光学手段と、を有する投写型カラー表示装置において、
　前記色合成手段は、４個の直角プリズムを貼り合わせ、その貼り合わせた内面に互いに異なる波長選択反射層を十字状に形成したプリズムであって、該プリズムの４つの外側面のうち３つの外側面には前記３つの透過型液晶パネルをそれぞれ隣接して配置してなり、
　前記３つの透過型液晶パネルは、変調された後に前記プリズムの波長選択反射層によって反射されて前記投写光学手段に導かれる色光を変調する第１及び第２の透過型液晶パネルと、変調された後に前記プリズムの波長選択反射層を全て透過して前記投写光学手段に導かれる色光を変調する第３の透過型液晶パネルとを有し、
　前記各透過型液晶パネルは、一対の基板間に液晶が封入され、該一対の基板間には、マトリクス状に配置される画素電極と、該画素電極に接続された薄膜トランジスタと、該薄膜トランジスタを介して前記画素電極にデータ信号を供給する複数の信号線と、前記薄膜トランジスタの光入射側に配置され当該薄膜トランジスタを遮光する遮光層とが形成され、かつ前記複数の信号線には前記データ信号を供給する駆動回路が接続されてなり、
　前記第１及び第２の透過型液晶パネルの前記駆動回路は、前記複数の信号線の配列順の一端側から、順番に前記複数の信号線に前記データ信号を供給し、
　前記第３の透過型液晶パネルの前記駆動回路は、前記複数の信号線の配列順の他端側から、順番に前記複数の信号線に前記データ信号を供給し、
　該投写型カラー表示装置は、さらに、前記第１、第２および第３の透過型液晶パネルのそれぞれに接続された基板を有し、
　該基板のそれぞれは、第１面および第２面を有し、
　前記駆動回路のそれぞれは、該基板のそれぞれに設けられており、
　該第１の透過型液晶パネルおよび第２の透過型液晶パネルのそれぞれは、該基板の第１面が上になるように該基板のそれぞれと接続されており、
　該第３の透過型液晶パネルは、該基板の第２面が上になるように該基板と接続されている
　ことを特徴とする投写型カラー表示装置。
【発明の詳細な説明】
　【０００１】
　【発明の属する技術分野】
　本発明は投写型カラー表示装置における液晶パネルの構成に関する。
　【０００２】
　【従来の技術】
　従来の投写型カラー表示装置は、加法混色の三原色である赤色・緑色および青色の映像をそれぞれ表示する三本のＣＲＴ投写管を並べてスクリーンに投写し、三原色の映像を合成してカラー映像を得るものが知られている。
　【０００３】
　【発明が解決しようとする課題】
　しかし前述の従来技術では、明るいカラー映像を得ようとすれば大型のＣＲＴ投写管を必要とするため、装置が大型になるといった問題点を有する。
　【０００４】
　また、三本のＣＲＴ投写管より投写された映像をスクリーン上で合成するため調整が面倒であり映像の周辺部には色ムラを生じるといった問題点を有する。
　【０００５】
　そこで本発明はこのような問題点を解決し、より良好な映像表示をおこなうためになされたものであり、液晶パネルを用いることにより装置の小型化を実現し、ダイクロイック面で映像の合成をすることによりユーザーがスクリーン上にて映像合成をする調整を不要とし、かつ薄膜トランジスタをマトリクス状に集積したアクティブマトリクス方式により表示をおこなう液晶パネルの、光の影響による薄膜トランジスタの性能劣化をなくしてより良好な映像を提供するためになされたものである。
　【０００６】
　【課題を解決するための手段】
　本発明の投写型カラー表示装置は、３つの色光の各色光をデータ信号に基づき各々変調する３つの透過型液晶パネルと、前記各透過型液晶パネルにより変調された各色光を合成する色合成手段と、前記色合成手段により合成された合成光を投写する投写光学手段と、を有する投写型カラー表示装置において、前記色合成手段は、４個の直角プリズムを貼り合わせ、その貼り合わせた内面に互いに異なる波長選択反射層を十字状に形成したプリズムであって、該プリズムの４つの外側面のうち３つの外側面には前記３つの透過型液晶パネルをそれぞれ隣接して配置してなり、前記３つの透過型液晶パネルは、変調された後に前記プリズムの波長選択反射層によって反射されて前記投写光学手段に導かれる色光を変調する第１及び第２の透過型液晶パネルと、変調された後に前記プリズムの波長選択反射層を全て透過して前記投写光学手段に導かれる色光を変調する第３の透過型液晶パネルとを有し、前記各透過型液晶パネルは、一対の基板間に液晶が封入され、該一対の基板間には、マトリクス状に配置される画素電極と、該画素電極に接続された薄膜トランジスタと、該薄膜トランジスタを介して前記画素電極にデータ信号を供給する複数の信号線と、前記薄膜トランジスタの光入射側に配置され当該薄膜トランジスタを遮光する遮光層とが形成され、かつ前記複数の信号線には前記データ信号を供給する駆動回路が接続されてなり、前記第１及び第２の透過型液晶パネルの前記駆動回路は、前記複数の信号線の配列順の一端側から、順番に前記複数の信号線に前記データ信号を供給し、前記第３の透過型液晶パネルの前記駆動回路は、前記複数の信号線の配列順の他端側から、順番に前記複数の信号線に前記データ信号を供給し、該投写型カラー表示装置は、さらに、前記第１、第２および第３の透過型液晶パネルのそれぞれに接続された基板を有し、該基板のそれぞれは、第１面および第２面を有し、前記駆動回路のそれぞれは、該基板のそれぞれに設けられており、該第１の透過型液晶パネルおよび第２の透過型液晶パネルのそれぞれは、該基板の第１面が上になるように該基板のそれぞれと接続されており、該第３の透過型液晶パネルは、該基板の第２面が上になるように該基板と接続されていることを特徴とする投写型カラー表示装置。
　【０００７】
　【発明の実施の形態】
　以下、本発明による実施例を図面を参照して説明する。
　【０００８】
　図１はキューブプリズムを用いた光学系の位置関係を示す斜視図、図２はキューブプリズムを用いた光学系の位置関係を示す上面図である。図において投写レンズ（１０）は液晶パネルに表示された映像をスクリーンに拡大して投写するものである。
　【０００９】
　キューブプリズム（１１）は直角プリズムの斜面に特定の波長の光を反射するダイクロイック層を形成したものを４個貼り合わせたものであり、青反射面（１２）は青色表示液晶パネル（１６）を透過した青色光線（１９）を、投写レンズ（１０）側に反射し、赤反射面（１３）は赤色表示液晶パネル（１４）を透過した赤色光線（１７）を投写レンズ（１０）側に反射する。緑色表示液晶パネル（１５）を透過した緑色光線（１８）はキューブプリズム（１１）を透過して、投写レンズ（１０）に至る。ここで投写レンズ側より見た三枚の液晶パネルの光学的位置関係を調整することにより三枚の液晶パネルに表示される映像が一個のカラー映像として合成され、一本の投写レンズ（１０）によりスクリーンに投写されるので、映像の周辺部においても色ずれのない表示が得られるのである。
　【００１０】
　スクリーンに表示される映像の表示方向は通常左から右へ、上から下へと表示される。スクリーンでそのような表示を得るためには液晶パネルでの表示の方向は図中矢印で示す方向にする必要がある。すなわち、投写レンズ（１０）にて映像の上下と左右は反転し、赤色表示液晶パネル（１４）と青色表示液晶パネル（１６）の映像は、キューブプリズム（１１）で反射するために左右が反転する。したがって三枚の液晶パネルの上下の表示方向は下から上へと表示し、光線の入射側から見た各液晶パネルの左右表示方向は、赤色表示液晶パネル（１４）と、青色表示液晶パネル（１６）は右から左へ、緑色表示液晶パネル（１５）は左から右へと表示するのである。
　【００１１】
　この様子を図３の液晶パネルの表示を示す斜視図を用いて説明すると、ガラス基板（３０）と石英ガラス基板（３１）の隙間に液晶を封入してなる液晶パネルの表示は、ガラス基板（３０）側より見て赤色表示液晶パネル（１４）と青色表示液晶パネル（１６）の映像はスクリーンにおける映像に対して正転の関係にあり、緑色表示液晶パネル（１５）の映像は、左右が反転した関係にある。
　【００１２】
　緑色表示液晶パネル（１５）のような表示を得るためには例えば赤色表示液晶パネル（１４）を裏返せば得られるが、それでは、ガラス基板（３０）と石英ガラス基板（３１）が入れ替わってしまい薄膜トランジスタの性能を低下させることになる。
　【００１３】
　すなわち図４の液晶パネルの部分断面図を参照して説明すると、液晶パネルの画素部はガラス基板（３０）と石英ガラス基板（３１）の間に液晶（６５）を封入し、石英ガラス基板（３１）には、薄膜トランジスタ（６２）が形成され、そのゲート電極にはゲート線（６０）が、ソース電極にはソース（６１）が、またドレイン電極には画素電極（６３）で、接続されている。ガラス基板（３０）には共通電極（６４）と光を遮光する遮光層（６６）が形成され、遮光層以外の部分が開口部（６７）となる。上偏光板（６８）と下偏光板（６９）は特定の偏光成分の光のみ透過される性質のものである。
　【００１４】
　あるゲート線（６０）に電圧を印加すると、そのゲート線に接続されている、薄膜トランジスタ（６２）は導通状態となり、ソース線（６１）に印加された電圧を、画素電極（６３）と共通電極（６４）とで構成する容量に充電し、液晶を駆動するのである。が、光が薄膜トランジスタ（６２）を照射すると光により薄膜トランジスタ（６２）の特性が変化して動作が不良となる。そのためガラス基板（３０）に遮光層（６６）を形成して薄膜トランジスタ（６２）に光が照射されないようになっている。これにより、ガラス基板（３０）側より光が照射されても、薄膜トランジスタ（６２）の性能は低下しない。したがって、赤色表示液晶パネル（１４）を裏返して緑色表示液晶パネル（１５）として用いることができない。つまり緑色表示液晶パネル（１５）のみ左右が反転した表示をするように駆動ドライバー回路を構成しなくてはならない。
　図５は外付ドライバー回路を用いた液晶パネルの平面図であり、列ドライバーＩＣ（４０）を実装したポリイミド製の列側基板（４１）を液晶パネルの上下配して、ソース線（６１）を駆動し、行ドライバーＩＣ（４２）を実装した行側基板（４３）を液晶パネルの左右に配してゲート線（６０）を駆動する。
　赤色表示液晶パネル（１４）および青色表示液晶パネル（１６）の、左右の表示方向は矢印（４４）で示す方向となり、液晶パネルの上下に配した列側基板（４１）を裏返してソース線（６１）に接続すれば矢印（４５）で示す方向の表示となり緑色表示液晶パネル（１５）を得ることができる。
　図６は内蔵ドライバーによる液晶パネルの斜視図であり石英ガラス基板（３１）のみ示してある。
　石英ガラス基板（３１）には薄膜トランジスタ（６２）を集積した画素部（５０）が形成され、列側駆動信号（５２）により、動作する列ドライバー回路（５１）によりサンプルホールド用トランジスタ（５６）を制御してデータ信号（５５）のデータをソース線（６１）に書き込む回路と、行側駆動信号（５４）により動作し、ゲート線（６０）を駆動する行ドライバー回路（５３）とが薄膜トランジスタにより形成される。
　【００１５】
　石英ガラス基板（３１）に形成される回路は半導体集積回路と同様、マスクパターンの形成やエッチング・熱処理等により形成されるので、左右が反転した表示をおこなう、液晶パネルを得るには、左右が反転したマスクパターンを用いるか、列ドライバー回路（５１）のみ左右が反転したマスクパターンを用いることにより容易に得ることができる。
　【００１６】
　〔参考例１〕
　図７はダイクロイックミラーをＸ字型に組み合わせた光学系の平面図であり、薄いガラス板にダイクロイック層を形成した１枚の赤反射ダイクロイックミラー（７０）と二枚の青反射ダイクロイックミラー（７１）とを十字型に組み合わせて画像合成をおこなう。
　【００１７】
　赤色表示液晶パネル（１４）を透過した赤色光線（１７）は、赤反射ダイクロイックミラー（７１）で反射され、青色表示液晶パネル（１６）を透過した青色光線（１９）は青反射ダイクロイックミラー（７１）で、反射されて投写レンズ（１０）に至る。緑色表示液晶パネル（１５）を透過した緑色光線（１８）は赤反射ダイクロイックミラー（７０）と青反射ダイタロイックミラー（７１）を透過して投写レンズ（１０）に至り三枚の液晶パネルに表示された画像は合成されるのである。この場合においても緑色表示液晶パネル（１５）に表示される映像のみ、赤色表示液晶パネル（１４）と青色表示液晶パネル（１６）の映像の表示方向とは左右が逆となる。
　【００１８】
　〔参考例２〕
　図８は三枚のダイクロイックミラーを用いた光学系の平面図であり、赤色表示液晶パネル（１４）の映像は赤色反射ダイクロイックミラー（７０）（７１）を２回反射して投写レンズ（１０）に至り、緑色表示液晶パネル（１５）の映像は緑色反射ダイクロイックミラー（７２）を反射して赤色反射ダイクロイックミラー（７１）を透過して投写レンズ（１０）に至る。また青色表示液晶パネル（１６）の映像は緑色反射ダイクロイックミラー（７２）と赤色反射ダイクロイックミラー（７１）を透過して投写レンズ（１０）に至るのである。
　【００１９】
　このような場合においても液晶パネルの映像が投写レンズ（１０）に至るまでの反射の回数が０回または偶数回のものと奇数回のものとでは液晶パネルにおける表示の左右方向は異なる。すなわちこの場合においては光の入射側より見て赤色表示液晶パネル（１４）と緑色表示液晶パネル（１６）の表示方向は右から左であるが、緑色表示液晶パネル（１５）に表示方向のみ左から右に表示されるように駆動ドライバー回路を構成する必要がある。
　【００２０】
　なお、緑反射ダイクロイックミラー（７３）と、２枚の青反射ダイクロイックミラー（７４）は白色光（７５）を光の三原色である赤色光・緑色光および青色光に色分解するものである。
　【００２１】
　【発明の効果】
　以上述べたように本発明によれば、駆動ドライバー回路が外付けの場合でも内蔵している場合でも液晶パネルにより変調する画像の左右反転は容易におこなえ、３枚の液晶パネルに入射する色光は、薄膜トランジスタの光入射側に形成された遮光層により遮光されるので、薄膜トランジスタに光入射することによる薄膜トランジスタの性能低下を防ぐことができる。これによりアクティブ素子本来の性能を引き出すことができ、コントラスト比が良好で、表示品質の良い投写型カラー表示装置を提供できるのである。
　【００２２】
　また、直角プリズムを貼り合わせて構成したキューブプリズムにより色光を合成する構成とし、そのプリズム入射面に液晶パネルを隣接して配置することにより、投射光学手段から各液晶パネルまでの光路長が均一になると共に光路長（バックホーカス）が短くなるので、色ズレのない表示が得られると共に、液晶パネルからの光学系が小型化でき、且つ小型の光学系であっても拡大投写することができる。
【図面の簡単な説明】
　【図１】キューブプリズムを用いた光学系の位置関係を示す斜視図。
　【図２】キューブプリズムを用いた光学系の位置関係を示す上面図。
　【図３】液晶パネルの表示を示す斜視図。
　【図４】液晶パネルの部分断面図。
　【図５】外付ドライバー回路を用いた液晶パネルの正面図。
　【図６】内蔵ドライバーによる液晶パネルの斜視図。
　【図７】ダイクロイックミラーをＸ字型に組み合わせた光学系の平面図。
　【図８】三枚のダイクロイックミラーを用いた光学系の平面図。
　【符号の説明】
　１０：投写レ
　１１：キューブプリズム
　１２：青反射面
　１３：赤反射面
　１４：赤色表示液晶パネル
　１５：緑色表示液晶パネル
　１６：青色表示液晶パネル
　１７：赤色光線
　１８：緑色光線
　１９：青色光線